Podtech/llm-jp-corpus-v4-ja_patent huggingface dataset:
(57)【要約】【課題】時間の有効利用をはかり、いつでもどこでも子供から老人達が、健康維持増進効果・省エネルギー対策の他に、ストレス解消・肥満防止対策等にも役立ち、更に、相互のコミュニケーションをはかりながら、無理なく入り込める環境づくりに貢献できる手段を提供する。【解決手段】健康維持増進のために費やする、人のエネルギーと時間を原動力に変えることによって、健康器具に付設した発電・蓄電装置を作動させ、健康維持増進をはかりながら、電力活用効果による省エネルギー対策に貢献することができる、発電・蓄電装置のついた健康器具。【選択図】　なし。【特許請求の範囲】
【請求項１】
発電・蓄電装置を付設して、人力で回転させることによって生じた原動力によって発電・蓄電させ、電力活用効果による省エネルギー対策に貢献できることを特徴とする健康器具。
【請求項２】
発電・蓄電装置を付設して、人力で圧縮させることによって生じた原動力によって発電・蓄電させ、電力活用効果による省エネルギー対策に貢献できることを特徴とする健康器具。
【発明の詳細な説明】
【０００１】
【発明の属する技術分野】
本発明は、健康器具を使用しながら、健康維持増進のために費やする、人のエネルギーと時間を原動力に変え、健康器具に付設した発電・蓄電装置を作動させることによって、電力活用効果を発揮できる機能を付加した健康器具に関する。
【０００２】
【従来の技術】
健康器具の１つであるマグネットバイクを例とすると、（以下マグネットバイクという。）従来のマグネットバイクは健康維持増進効果のみのために利用されていた。
【０００３】
【発明が解決しようとする課題】
本発明は、健康維持増進をはかるため、マグネットバイクのペダルを踏みながら、合わせて、電力活用効果による省エネルギー対策に貢献できることを目的としている。
【０００４】
【課題を解決するための手段】
健康維持増進のために、人が費やするエネルギーと時間を原動力に変えることによって、マグネットバイクに付設した発電・蓄電装置を作動させ、健康維持増進をはかりながら、電力活用効果による省エネルギー効果をもたらすことができる。
本発明は、この知見に基づきなされたものである。
【０００５】
【発明の実施の形態】
本発明で用いるマグネットバイクは公知のものであり、発電・蓄電装置は、マグネットバイク本体にそれぞれが固定、若しくは分離されたものである。
【０００６】
【発明の効果】
本発明は、以上説明したように構成されているので、以下に記載されるような効果を奏する。
【０００７】
本発明品は、人が利用すればするほど、マグネットバイクに付設した発電・蓄電装置を作動させ、電力活用効果をもたらし、省エネルギー対策に貢献することができる。
【０００８】
本発明品は、数多く設置すればするほど、人力による原動力によってマグネットバイクに付設した発電・蓄電装置を作動させ、電力活用効果をもたらし、省エネルギー対策に貢献することができる。
【０００９】
従来のマグネットバイクは、各家庭やスポーツジム等で限られた人達に利用されていたが、本発明品は健康維持増進効果の他に、時間の有効利用・省エネルギー対策にも貢献できるため、利用者並びに設置場所の拡大をはかることが容易となる。
【００１０】
学校の廊下・教室・体育館等で、いつでもどこでも生徒や先生達が、相互のコミュニケーションをはかりながら、健康維持増進効果・省エネルギー対策の他に、ストレス解消・肥満防止対策等にも無理なく入り込める環境づくりに貢献できる発電・蓄電装置のついた健康器具。
【００１１】
病院・銀行・駅・空港等での待ち時間を利用して、いつでもどこでも子供から老人達が、健康維持増進効果・省エネルギー対策の他に、ストレス解消・肥満防止対策等にも無理なく入り込める環境づくりに貢献できる、発電・蓄電装置のついた健康器具。
【００１２】
職場等での昼休み時間等を利用して、相互のコミュニケーションをはかりながら、健康維持増進効果・省エネルギー対策の他に、ストレス解消・肥満防止対策等にも無理なく入り込める環境づくりに貢献できる、発電・蓄電装置のついた健康器具。
【００１３】
各家庭に於いて、家族全員が相互のコミュニケーションをはかりながら、健康維持増進効果・省エネルギー対策の他に、ストレス解消・肥満防止対策等にも無理なく入り込める環境づくりに貢献できる、発電・蓄電装置のついた健康器具。
【００１４】
地球全体で、健康や省エネルギーに対しての問題意識を向上させることができる、発電・蓄電装置のついた健康器具。
【００１５】
【図面の簡単な説明】
【図１】発電・蓄電装置の斜視図の一例である。
【符号の説明】
１　原動力
２　発電装置
３　回転磁極
４　固定コイル
５　固定子鉄心
６　蓄電器（コンデンサー）
７　トランス
【図１】
2004073772.tif 000002
(57)【要約】　　　（修正有）【課題】治療したい位置に簡単に治療器具を付けたり外したりすることが出来るようにすること。【解決手段】ホックボタン１を衣類の外側より付け、ホック２の頭に治療具が付いている物を衣類の内側より付ける。衣類として、ツボの位置をプリントしたサポートタイプの肌着を使用してもよい。【効果】いったん定めたツボの位置を変えることなく治療器のホック・ボタンのトップを交換するだけで色々な効果を上げることが出来る。又、ツボの位置をわかり易くすることも出来る。【選択図】図１
2004073778.tif 000002
【特許請求の範囲】
【請求項１】
ホック，ボタンには牡ボタンと牝ボタンの２個でホックの役割をなします。本案は片方のホック，ボタン（１）を肌着を着た際、人体の壷の位置、又は痛い所に固定させ、もう片方のホック，ボタン（２）には治療用磁気球や鉱物（トルマリン，チタン，ゲルマニウムなど）を付け肌着の内側から（１）のホック，ボタンにはめることにより、色々な治療効果を得ることが出来る治療器。
【請求項２】
人体の壷の位置をプリントしたサポートタイプの肌着にホック式治療用の特殊ヘット付きボタンを固定し、その肌着を着用すれば定めた所の壷や痛い所を刺激し、健康増進の効果が得られる治療器である。
【発明の詳細な説明】
【０００１】
【発明の属する技術分野】
本発明は衣服の上より患部の指圧の壷の位置を定めてホック，ボタン（１）を付ければ確実に治療を行う所が定め、治療が行いやすくなる方法に関する。
【０００２】
【従来の技術】
従来の磁気治療器はバンソーコに治療球を付けた物を患部に付ける物が主流であるが、それでは患者の体質によっては発疹をおこしたりする。
【０００３】
【発明が解決しようとする課題】
従来の磁気治療器は、一人では治療ヶ所に適切に貼ることが難しく、なかなか効果を得る事が出来ないという問題点があった。
【０００４】
【発明が解決するための手段】
本発明は従来治療したい所に本人が治療するのが困難であったが、本発明では治療したい場所に本人が器具を適切に付ける事ができる　ホック・ボタン式万能治療器具を提供する事を目的とする。
人体には何百とツボがありそのツボの位置に刺激をあたえる事が出来その位置すべてに最高の治療の効果をほどこす事が出来、更に利用範囲を限定されず、任意移動が可能で容易に安心して使用できる、種種の用途に適したホック・ボタン式磁気治療器を提供する。
【０００５】
【作用】
上記目的を達成するために，本発明のホック・ボタン式万能磁気治療器においては、患部に肌着をきたまま、患部に印をつけた所にホックボタン（１）をつけ，ボタンホック（２）には　Ａ　ツボ刺激用ヘッド　Ｂ　肩こり、腰の痛みようヘッドとして磁気球付きヘッドＣ　肩凝り、腰の痛み用ヘッドとして（トルマリン）（チタン）（ゲルマニュウム）３２番目の元素。いろいろな病状によりヘッドとの交換により人体の凝りを和らげ、血行をよくする相乗効果を安定して得られる。
【０００６】
【発明の実施の形態】
上記のように構成された従来の装着方法では、その都度、着けたりはがしたりしなければならず、大変であったが、本発明では肌着一枚脱げば肌着に全部ついてくるので非常に簡単である。
【０００７】
【実施例】
実施例について図面を参照して説明すると、図１においてボタンホツク全体図はオスボタンメスボタンを合せてホックボタンといいます。
１はオスボタン部分
２はホック部分
１・２は肌着に付ける部分
３は肌着
４はメス部分
５はプラスチック座板
６は治療器部分
４・５・６は取り外す事のできる治療器部分（トップ）を交換することができるので、その部分に色々な治療を行い、人体の凝りを和らげ血行を良くする相乗効果が安定して得られる。
【０００８】
【発明の効果】
本発明は従来の磁気治療器と異なり、様様な治療を行う事を目的として考えたホック・ボタン式万能治療器で今までの磁気治療器では磁気の治療だけでしたが本発明品はその人の病状により指圧をしたい人は指圧用ボタン、肩こりの人は磁気付きボタンというふうにその人その人に適した治療具を付けて身に合った治療を施すのに適した治療を施す万能治療器効果を奏する。
2004073778.tif 000003
2004073778.tif 000004
2004073778.tif 000005
【手続補正書】
【提出日】平成14年11月18日(2002.11.18)
【手続補正１】
【補正対象書類名】明細書
【補正対象項目名】図面の簡単な説明
【補正方法】変更
【補正の内容】
【図面の簡単な説明】
【図１】分解側面図
【図２】側面図
【図３】平面図
【符号の説明】
▲１▼　カバー
▲２▼　ボタンヘッド
▲３▼　ホック本体のベース
▲４▼　ホックのメスの部分
▲５▼　ホックのオスの部分
▲６▼　ホックのはめ込み部分
▲７▼　結合部品
▲８▼　本体ヘッド
▲１０▼　治療具を入れる部分
▲１１▼　肌着


【手続補正２】
【補正対象書類名】図面
【補正対象項目名】全図
【補正方法】変更
【補正の内容】
【図Ｉ】
2004073778.tif 000006
【図２】
2004073778.tif 000007
【図３】
2004073778.tif 000008
(57)【要約】【課題】タクシードライバーが纏めて入れた袋の中の小銭を数えて釣銭を渡す従来の方法では、時間が掛かり、釣銭間違いを起こすことが多く、釣銭に時間が掛かると走行車両がある路上での一時停車中に追突事故を起こされる可能性もある。そこで、手早く、間違いなく釣銭を払うことが要求されている。【解決手段】容器１内にコインを種別に分類して収納するコイン入れ２と、クッション材４を敷いた受け皿３との間を区分する仕切り５と、蓋６の裏側に書類入れ７を装着した。【選択図】　　図１
2004073779.tif 000002
【特許請求の範囲】
【請求項１】
容器（１）内にコインを種別に分類して収納するコイン入れ（２）と、クッション材（４）を敷いた受け皿（３）との間を区分する仕切り（５）と、蓋（６）の裏側に書類入れ（７）を装着したことを特徴とする釣銭、カード、書類収納容器。
【請求項２】
片側のシート（８）を長くし、反対側のシート（９）を短くして、互い違いに重ね合わせた構造を有する書類入れ（７）であることを特徴とする請求項１に記載の釣銭、カード、書類収納容器。
【発明の詳細な説明】
【０００１】
【発明の属する技術分野】
本発明は、タクシー等釣銭を早急に用意する必要のある業務に使用される釣銭容器であり、印鑑、カード、書類等も一括して収納できる容器に関している。
【０００２】
【従来の技術】
従来、タクシードライバーは、小銭を纏めて袋に入れ、釣銭が必要なときは、この袋の中から取り出しているため、釣銭を用意するのに時間が掛かっている。また、タクシードライバー自身も袋の中に釣銭に使用するのに十分な小銭が入っているか直ぐに確認できないので不安を感じている。
【０００３】
【発明の解決しようとする課題】
このように、纏めて入れた袋の中の小銭を数えて釣銭を渡す従来の方法では、時間が掛かり、釣銭間違いを起こすことが多く、釣銭に時間が掛かると走行車両がある路上での一時停車中に追突事故を起こされる可能性もある。そこで、手早く、間違いなく釣銭を払うことが要求されている。また、身分証明書や必要書類を整理できるように同じケースに収納すると、探し回ることがなく安心である。釣銭を手渡しするのでなく、皿に入れて客に渡すのが礼儀にかなっていて丁寧である。また、数え間違いも生じにくい。本発明においては、このような問題点を総合的に解決しようとするものである。
【０００４】
【課題を解決するための手段】
本発明の釣銭、カード、書類収納容器においては、容器１にコインの収納部分のコイン入れ２と受け皿３部分を設けている。釣銭に使用するコインは、１０円、５０円、１００円、５００円の４種類であり、コインのサイズが異なっているので、各種別のコインのサイズに合わせて仕切りを設け、さらに、初乗り料金に対して１０００円札で支払われた場合の釣銭を素早く渡せるように、初乗り料金用の釣銭を纏めて保管する仕切りを設けている。
【０００５】
客から料金受け取ったり、釣銭を支払う際に金額を判別しやすいように、受け皿３を容器に用意し、受け皿３を容器１から取り出して使用することができる。受け皿３には薄いスポンジなどのクッション材４が敷いてあり、料金や釣銭を摘まみやすくしている。
【０００６】
容器１は蓋６で閉じるようになっている。この蓋の表面１０を写真、絵、デザイン、模様等で飾るようになっている。蓋６の裏側の凹みを利用して、カード、書類等を収納する書類入れ７を設けている。この蓋６の裏のカード、書類等の書類入れ７は独自の設計であって、片側のシート８を長くし、反対側のシート９を短くして、互い違いに重ね合わせた構造であるので、カード、書類の収納量が増え、分類しやすく、取り出しやすい特徴がある。
【０００７】
【発明の実施の形態】
本発明の実施の形態につき、実施例に基づき、図面を参照して説明する。
図１は本発明の釣銭、カード、書類収納容器の斜視図である。容器１の蓋６を開けた状態を示している。容器１は中央部分に仕切り５があり、右側がコイン入れ２になっていて左側が受け皿３を収納する部分になっている。コイン入れ２はコインのサイズに合わせて分類して収納できるように細分されている。手前側にはタクシーの初乗り料金と千円札の差額の釣銭が収納できるようにしてあるので、短距離の乗客に迅速に対応できる。１０円、５０円、１００円、５００円と分類して金種別に纏めて収納できるので、計算がしやすくなる。
【０００８】
左側の受け皿３は底にクッション材４を敷いてあり、受け皿３の底の片側を高くして容器１から取り出しやすくしている。
【０００９】
コイン入れ２の仕切りの一部を広くして、印鑑や朱肉を収納するスペースとすることもできる。
【００１０】
図２は本発明の釣銭、カード、書類収納容器の容器部分の平面図である。容器１は中央部分の仕切り５で左右に分割され、右側はコイン入れ２になり、左側は受け皿３になっている。コイン入れ２の細分化された各区分は金種コインのサイズの違いに対応するように区画の大きさが異なっている。区分方法や配列方法は業種により使いやすいように変更することができる。また、コイン入れ２の余分なスペースには、印鑑、シール等必要に応じて使用することができる。
【００１１】
仕切り５で分割された左側は底部の片側に少し高い足を付けた受け皿３が収納されている。受け皿３にクッション材４を敷くことで受け皿３に置いたコインを取りやすくしている。
【００１２】
図３は本発明の釣銭、カード、書類収納容器の蓋を半開きにした状態の斜視図である。蓋の表面１０には写真がはめ込まれている。蓋６の裏面に書類入れ７が装着されている。書類入れ７の上側部分は長いシート８と短いシート９とを互い違いに組み合わせて構成している。このため、書類の分類が楽で、必要書類を素早く取り出すのに役立っている。書類入れ７の前部にはカードや名刺を差し込む区分が設けてある。
【００１３】
【発明の効果】
本発明の釣銭、カード、書類収納容器を使用すると、コインの区分が容易になり、釣銭を揃える手間が減る。
【００１４】
その結果、タクシーにおいては、乗客に釣銭を支払う際に待たせることがなくなる。
【００１５】
また、停車時間を短縮するので、交通事故の減少にもなる。
【図面の簡単な説明】
【図１】本発明の釣銭、カード、書類収納容器の斜視図である。
【図２】本発明の釣銭、カード、書類収納容器の容器部分の平面図である。
【図３】本発明の釣銭、カード、書類収納容器の蓋を半開きにした状態の斜視図である。
【符号の説明】
１　容器
２　コイン入れ
３　受け皿
４　クッション材
５　仕切り
６　蓋
７　書類入れ
８　シート
９　シート
１０　蓋の表面
【図１】
2004073779.tif 000003
【図２】
2004073779.tif 000004
【図３】
2004073779.tif 000005
(57)【要約】【課題】簡単な構成でありながら、効率的に容器に対する加熱を実現し得る構成を提供すること。【解決手段】金属製容器１の外壁に電熱線２を固着し、かつ当該電熱線２を容器１の底部から上部に向かって略放射状に配置し、しかも上記配置に係る電熱線２が相互に並列回路を形成していることに基づき、電熱線２と容器１の外壁との間の隙間を極力少なくし、効率的な熱伝導による加熱を実現することができる加熱容器。【選択図】　　　　　図１
2004073315.tif 000002
【特許請求の範囲】
【請求項１】
金属製容器の外壁に電熱線を固着し、かつ当該電熱線を容器の底部から上部に向かって略放射状に配置し、しかも上記配置に係る電熱線が相互に並列回路を形成していることに基づく加熱容器。
【請求項２】
容器に対し、電熱線を溶着していることを特徴とする請求項１記載の加熱容器。
【請求項３】
容器の外壁に凹部を設け、該凹部に対し電熱線を嵌め込んだ状態としたことを特徴とする請求項２記載の加熱容器。
【請求項４】
容器の外壁に、孔、又は外側端部内側よりも細幅状態となっている溝を設け、当該孔、又は溝に電熱線を挿通することによって電熱線を固着することを特徴とする請求項１記載の加熱容器。
【請求項５】
孔、又は溝に対し、電熱線を溶着していることを特徴とする請求項４記載の加熱容器。
【発明の詳細な説明】
【０００１】
【発明の属する技術分野】
本発明は、電熱線によって加熱する容器の構成に関するものである。
【０００２】
【従来の技術】
調理、又は食品の開発などにおいて、加熱容器を使用することは技術常識に該当する。
但し、従来技術においては、殆ど大抵の場合、加熱装置を外側（通常下側）に設け、容器を当該加熱装置に接触した状態とし、容器に対する加熱を行っていた。
【０００３】
しかしながら、このような加熱では、必然的に容器と加熱装置との間に隙間が生じ、熱伝導の効率が低くなることを免れることができない。
【０００４】
しかも、容器と加熱装置とが分離した状態では、別の場所において使用する場合には、双方を個別に移動させなければならなくなり、取扱上不便である。
【０００５】
【発明が解決しようとする課題】
本発明は、上記従来技術の問題点に着目し、容器と加熱装置とを一体として形成する構成を提供することを開発するものである。
【０００６】
【課題を解決するための手段】
上記課題を解決するため、本発明の構成は、金属製容器の外壁に電熱線を固着し、かつ当該電熱線を容器の底部から上部に向かって略放射状に配置し、しかも上記配置に係る電熱線が相互に並列回路を形成していることに基づく加熱容器からなる。
【０００７】
【発明の実施の形態】
図３（ａ）、（ｂ）は、本発明の実施形態を示すが、当該図面に示すように、本発明においては、容器１の外側周壁に対し固着した電熱線２を底部から上側に放射状に設け、各電熱線２を並列に接続している。
【０００８】
このような並列回路を採用したのは、電熱線２の一部に破損又は切断が生じたとしても、他の電熱線２の導電線３によって相変わらず加熱を行うことができることに由来している。
【０００９】
逆に、例えば容器１の周囲に対し、１本の螺旋状の電熱線２を外側から固着した場合には、電熱線２は並列回路を形成していないために、１箇所の切断又は破損が生じた場合には、加熱を継続することができないことになるが、本発明の構成はこのようなアクシデントをクリアすることができる。
【００１０】
各電熱線は、容器１の底部及び上部において相互に導電線３を介して電源と接続されることになるが、各電熱線２の抵抗値は加熱温度、及び加熱に必要な熱容量に応じて、随時設定すれば良い。
【００１１】
本発明においては、電熱線２を直接加熱容器に固着しているため、従来技術の構成に比し、効率的な熱伝導による加熱を実現することができる。
【００１２】
以下、実施例に即して説明する。
【００１３】
【実施例１】
電熱線２の金属性容器１に対する固着の方法は、特に限定されている訳ではない。
【００１４】
実施例１では、金属製容器１に対し、電熱線２を溶接することによって固着を実現している。
【００１５】
溶接の方法としては、アーク溶接、電熱溶接などを採用することができ、特に限定されている訳ではない。
【００１６】
溶接によって溶着された電熱線２を導電によって加熱させたとしても、溶着の場合のように、電熱線２が溶融する程の高温ではない以上、前記のような溶接による固着方法によって格別の支障が生ずる訳ではない。
【００１７】
大抵の導電線３は、断面形状が略円形であることを考慮した場合、平坦形状の容器の外壁に電熱線２を溶着するよりも、図１に示すように、容器１の外壁周囲に、凹部を設け、当該凹部に電熱線２を概略嵌め込むような状態にて、電熱線２を溶着することによって、凹部における電熱線２の周囲から、効率的な加熱を実現することができる。
【００１８】
【実施例２】
実施例２においては、容器１の外壁に、図２（ａ）、（ｂ）に示すように孔、又は外側端部内側よりも細幅状態となっている溝を設け、当該孔、又は溝１１に電熱線２を挿入することによって固着する構成を採用している。
【００１９】
このような構成においては、孔、又は溝１１における電熱線２の周囲から容器１の外壁に対し熱が伝達されることになる。
但し、電熱線２と前記孔、又は溝１１との間に僅かな隙間が生じた場合には、当該隙間が熱伝導効率を低下させる要因となる。
【００２０】
このような状況に対処するため、孔、又は溝１１に電熱線２を挿通させた後、実施例１と同じように溶着を行った場合には、電熱線２の周囲から隙間を介さずに、効率的な加熱を実現することができる。
【００２１】
【発明の効果】
以上のような本発明においては、比較的簡単な構成でありながら、容器に対する加熱を効率的に実現することが可能となる。
【００２２】
このように、本発明は多面的な長所を有しており、その価値は絶大である。
【図面の簡単な説明】
【図１】実施例２において、容器の外壁に凹部を設けた場合の横方向一部断面図である。
【図２】実施例２の構成を示しており、（ａ）は孔を設けた場合の横方向一部断面図であり、（ｂ）は溝を設けた場合の横方向一部断面図である。
【図３】本発明の基本構成を示しており、（ａ）は斜視図であり、（ｂ）は底面図である。
【符号の説明】
１　容器
１１　凹部、又は孔、もしくは溝
２　電熱線
３　導電線
【図１】
2004073315.tif 000003
【図２】
2004073315.tif 000004
【図３】
2004073315.tif 000005
(57)【要約】【課題】油切りを効率的に行うことのできる新規なフライ用バットを提供する。【解決手段】皿状容器体１と、前記容器体内に載置される網体２と、網体の網目に差し入れて網体で支持する足部３２を備えた傾立背板３とで構成し、皿状容器体１内に位置している網体に、傾立背板３の足部３２を網体の下方に差し入れて傾斜起立させ、フライＡや天ぷらを起立状態で立てかけて油きれを行う。【選択図】　　図２
2004073307.tif 000002
【特許請求の範囲】
【請求項１】
皿状容器体と、前記容器体内に載置される網体と、網体の網目に差し入れて網体で支持する足部を備えた傾立背板とで構成したことを特徴とするフライ用バット。
【請求項２】
網目体が、金属製の細棒を所定間隔で並列させて形成すると共に、細棒の一部を下方に湾曲させて脚部とし、傾立背板も金属製細棒で形成してなる請求項１記載のフライ用バット。
【発明の詳細な説明】
【０００１】
【産業上の利用分野】
本発明は、揚げ調理したフライを配膳する前に油切りするために使用するフライ用バットに関するものである。
【０００２】
【従来の技術及び発明が解決しようとする課題】
揚げた直後のフライは、配膳前に油切りを行う必要があり、油切りの従前の手段として網板を備えた油切りバットや、吸油機能を備えた紙をバット上に敷いて、当該吸油紙上にフライを載せて油切りを行っている。
【０００３】
特に前者の油切りバットは、扁平な皿状容器（バット）の内方に、脚部などを設けて少し浮かした状態で網板を載置している。この網板は、金属製細棒を枠内に所定間隔で並列させ、更に並列細棒に交差する細棒を組み合わせ、枠との連結部分並びに交差部分を溶接したものが多数採用されている。
【０００４】
ところで前記の油切りバット（フライ用バット）は、単に調理済みのフライを横置きにするに過ぎなく、必ずしも油切りが効率的になされるとは言い難い。
【０００５】
そこで本発明は、油切りを効率的に行うことのできる新規なフライ用バットを提案したものである。
【０００６】
【課題を解決する手段】
本発明に係るフライ用バットは、皿状容器体と、前記容器体内に載置される網体と、網体の網目に差し入れて網体で支持する足部を備えた傾立背板とで構成したことを特徴とするものである。
【０００７】
而して皿状容器体内に位置している網体に、傾立背板の足部を網体の下方に差し入れると、傾立背板は、片持ち支持状態で傾斜起立するので、傾斜起立した背板にフライや天ぷらを起立状態で立てかけると、衣面が起立して油の流下が促進され、効率的に油切れを行うことができる。
【０００８】
【実施の形態】
次に本発明の実施の形態について説明する。実施形態に示したフライ用バットは、皿状容器体１と、網体２と、複数の傾立背板３とで構成される。
【０００９】
容器体１は、通常のバットで、矩形の金属製の扁平箱型のものである。
【００１０】
網体２も従前のバッドに使用される金属製の網で、金属製細棒を枠２１内に、横杆２２を所定間隔で並列させ、更に並列横杆２２に交差する縦杆２３を組み合わせ、枠２１との連結部分並びに交差部分を溶接したもので、特に横杆２１又は縦杆２３の一部を下方に湾曲させ、脚部２４としたものである。
【００１１】
傾立背板３は、金属製細棒を下方開口のコの字状に形成し、両側杆間に横杆３１を横架し、両側杆の下方部を前方に折曲して足部３２を形成したものである。
【００１２】
而して皿状容器体１内に網体２を配置し、傾立背板３の足部３２を横杆２２の間から横杆２２の下方に差し入れ、足部３２が横杆２２に引っかかることで傾立背板３が片持ち支持状態で傾斜起立することになる。
【００１３】
そこで調理したフライＡや天ぷらを、前記傾立背板３に寄りかからせることによって起立状態を維持させると、衣からの油の流下がスムーズになされるものである。
【００１４】
また傾立背板３を使用することで、フライＡ等の油切り載置量も多くすることができるし、使用対象の大きさに応じては、傾立背板３の傾立間隔も選択でき、更に、傾立背板を外すと、通常のバットとしても使用でき、しかも収納に嵩張らない等の利点もある。
【００１５】
なお本発明は前記実施形態に限定されるものではなく、容器体等の形状は、円形であっても良いし、また材質は、プラスチック製であっても良い。
【００１６】
【発明の効果】
以上のように本発明は、皿状容器体と、網体と、網体の網目に差し入れて網体で支持する脚部を備えた傾立背板とで構成したフライ用バットで、傾立背板の脚部を網体の下方に差し入れて傾斜起立させ、傾斜起立した背板にフライや天ぷらを起立状態で立てかけることで、効率的に油切れを行うことができたものである。
【図面の簡単な説明】
【図１】本発明の実施形態の全体斜視図。
【図２】同使用状態の断面図。
【符号の説明】
１　　　容器体
２　　　網体
２１　　枠
２２　　横杆
２３　　縦杆
２４　　脚部
３　　　傾立背板
３１　　横杆
３２　　足部
【図１】
2004073307.tif 000003
【図２】
2004073307.tif 000004
(57)【要約】【課題】本発明は、湯を浴槽の半分位まで入れておき、そこで半身浴を行うための専用の椅子を提供することを目的とする。【解決手段】本発明は、半身浴に適する湯量の浴槽ａに配置する椅子本体１に気泡を発生する機構を具備して成り、断面円形に成る管材９を数本適当間隔１０をおいて構成した座部１１の下方部に散気管を設置し、この散気管に送風して微細気泡を発生せしめるようにして成る椅子である。さらに、この散気管がＰＰ焼結樹脂材で構成した多孔質体から成るものである。【選択図】　　図１
2004073301.tif 000002
【特許請求の範囲】
【請求項１】
半身浴に適する湯量の浴槽に配置する椅子本体に気泡を発生する機構を具備して成ることを特徴とする浴槽用椅子。
【請求項２】
断面円形に成る管材を数本適当間隔をおいて構成した座部の下方部に散気管を設置し、この散気管に送風して微細気泡を発生せしめるようにすることを特徴とする浴槽用椅子。
【請求項３】
散気管がＰＰ焼結樹脂材で構成した多孔質体から成る請求項２に記載した浴槽用椅子。
【発明の詳細な説明】
【０００１】
【発明の属する技術分野】
本発明は、浴槽内で腰かけて使用する椅子に関するものである。
【０００２】
【従来の技術】
通常人は、浴槽に十分張られた湯に全身をつけて入浴するが、高血圧の人や疲労度の高い人にとってそのような入浴法は不適当であったり効果を半減したりしていた。
【０００３】
【発明が解決しようとする課題】
そこで、本発明は湯を浴槽の半分位まで入れておき、半身浴を行うことによって健康的な入浴を行うことができるようにするために、専用の椅子を提供することを目的とするものである。
【０００４】
【課題を解決するための手段】
本発明は、半身浴に適する湯量の浴槽に配置する椅子本体に気泡を発生する機構を具備して成り、断面円形に成る管材を数本適当間隔をおいて構成した座部の下方部に散気管を設置し、この散気管に送風して微細気泡を発生せしめるようにして成る椅子である。
【０００５】
【発明の実施の形態】
いま脱衣室の適所に設置した送風機を始動すると、ホース及び継手管を介して、浴槽に配置した椅子本体の散気管に送風されるから、多孔質材に成る散気管から微細気泡が発生し、この微細気泡は座部の多数の並列管材間をスムーズにかつ均等に上昇し、下半身に良好な刺激を与えるようになる。
【０００６】
送風機のホースが連継する継手管内部には浮子を配置しているから、送風機の回転を停止した時には、浴槽内の湯水が逆流しそうになっても、継手管内部の浮子が逆止弁となるため、湯水の逆流現象は起こらない。
【実施例】
【０００７】
１は浴槽ａ内に自由に配置する椅子本体で、人は浴槽の３分の２位に満たした湯の中に配置したこの椅子に腰をかければよい。
【０００８】
２は椅子本体１の底部に設けた基板で、この基板の一立側板３の中央部には開口４を設け、基板の他立側板５の左右両側部には通孔６，６を設ける。
【０００９】
７，７，７，７は前記基板２の角隅部を包囲するように立設した適当高さの支柱で、この支柱の左右両側部の上端前後側部間に架設した左右の支板８，８間には断面円形状に成る管材９，・・を数本適当間隔１０，・・を開けて並設し、座部１１とする。
【００１０】
１２は前記基板２と座部１１との間の空間部に設置する気泡発生体で、この気泡発生体は次の構成から成る。
【００１１】
前記基板２の一立側板３に設けた開口４に装着する空気導入管１３を中央に突設した案内部１４を設けた一取付部材１５の内部には、空気の流通路１６およびこの流通路に通ずる送気口１７，１７を左右側部に設ける。
【００１２】
前記一取付部材１５と相対する位置に設置する他取付部材１８の内側の左右側部には凹部１９，１９を設ける。
【００１３】
前記一取付部材１５の送気口１７，１７と前記他取付部材１８の凹部１９，１９との間には、無端の散気管２０，２０を架設する。この散気管はＰＰ焼結樹脂材で構成した多孔質体から成る。
【００１４】
２１，２１は前記散気管２０，２０を架設した左右の前記取付部材１５，１８の左右両外側部間に各架設した支杆で、この支杆の他端部は他立側板５に設けた通孔６，６に挿通して螺着２２する。
【００１５】
２３は前記空気導入管１３に連設する逆止弁構造を有する継手管で、この継手管には脱衣室に設置した送風機２４との間にホース２５を連結する。
【００１６】
【発明の効果】
本発明はこのような構成及び作用を有するものであるから、何人も半身浴を確実かつ簡単に行うことができ、高血圧など特に身体に何らかの障害がある人にとっては良効果をあげることができるものとなり、また微細気泡によって発生する超音波イオン効果により温熱作用が働き、良好な洗浄効果もあり、健康維持の増進を実現することができる本発明椅子の取扱いはきわめて簡単かつ利便である。
【図面の簡単な説明】
【図１】使用時の浴槽の状態図
【図２】椅子本体の一斜視図
【図３】椅子本体の他斜視図
【図４】要部の平断面図
【符号の説明】
１　　　　　　　　椅子本体
２　　　　　　　　基板
３　　　　　　　　一立側板
４　　　　　　　　開口
５　　　　　　　　他立側板
６，６　　　　　　通孔
７，７，７，７　　支柱
８，８　　　　　　支板
９，・・　　　　　管材
１０，・・　　　　間隔
１１　　　　　　　座部
１２　　　　　　　気泡発生体
１３　　　　　　　空気導入管
１４　　　　　　　案内部
１５　　　　　　　一取付部材
１６　　　　　　　流通路
１７，１７　　　　送気口
１８　　　　　　　他取付部材
１９，１９　　　　凹部
２０，２０　　　　散気管
２１，２１　　　　支杆
２３　　　　　　　継手管
２４　　　　　　　送風機
２５　　　　　　　ホース
【図１】
2004073301.tif 000003
【図２】
2004073301.tif 000004
【図３】
2004073301.tif 000005
【図４】
2004073301.tif 000006
(57)【要約】【課題】レール体に破損や摩耗を生じた場合に、安価な交換を可能とする。【解決手段】研磨布を担持するレール体を取付板に貼付け、その取付板を分離可能な固着手段により扉に組付けた。レール体が破損等した場合は、扉を開け、研磨布を取外した後、固着手段を操作して取付板とレールとを交換することができる。【選択図】　　　図１
2004073304.tif 000002
【特許請求の範囲】
【請求項１】
モータにより所定方向に回転される搬送ベルトを支持するフレームと、前記フレームに対して開閉自在に取付けられ扉とを有し、前記扉は、閉められた状態で前記搬送ベルトの上昇面に近接されて、その搬送ベルトとの間でパチンコ玉を回転させながら磨く研磨布を保持するとともに、前記研磨布にパチンコ玉案内溝を形成する複数条の溝を備えたレール体を有する玉磨き揚送装置において、
前記レール体を取付板に貼付け、その取付板を分離可能な固着手段により前記扉に組付けたことを特徴とする玉磨き揚送装置。
【発明の詳細な説明】
【０００１】
【発明の属する技術分野】
本発明は、遊技機から外れ玉として排除され、回収用搬送装置により回収位置まで搬送されてきたパチンコ玉を無端ベルトと研磨布により磨きながらリサイクル補給用の上部タンクまで揚送する玉磨き揚送装置に関する。
【０００２】
【従来の技術】
図３は一般的な玉磨き揚送装置の概略的な縦断面図、図４は上記従来の玉磨き揚送装置の搬送ベルト５と扉６の部分の横断面図、図５は図４のＢ−Ｂ線断面図である。
玉磨き揚送装置は、図３に示すように、フレーム１に上下のプーリ２，３及び中間のテンションプーリ４ａ，４ｂ，４ｃにより無端ベルトで構成される搬送ベルト５を緊張状態に張設するとともに、図４に示すように、そのフレーム１に搬送ベルト５の上昇側においてヒンジ及びロック（図示省略）により開閉自在に取付けられた扉６の内面にレール体７を介して研磨布８を支持し、レール体７に形成されている溝９に沿って研磨布８に複数条の玉案内溝１０を形成してあり、扉６を所定位置に閉じてロックした時は、回収位置まで回収されたパチンコ玉Ｐが、シュータ１１を介して搬送ベルト５の下端部付近に設けてある玉取込み口から、所定方向に回転されている搬送ベルト５と研磨布８の間を、各玉案内溝１０に沿って１列ずつ回転されながら揚送され、搬送ベルト５の上端部からダクト１２を介して図外の上部タンクに排出されるように構成されている。図３において、１３は駆動プーリ３を回転させるモータである。
【０００３】
従来装置におけるレール体７は、図４及び図５に示すように、研磨布８を支持する側と反対側の面を直接に扉６の正面板６ａの裏面に接着剤又は溶着等１４により貼付けられていた。
【０００４】
【発明が解決しようとする課題】
従来の扉は、上記のような構造であるため、例えば、レール体７がパチンコ玉の激突により一部破損を生じたり摩耗したりした場合には、レール体のみを交換することができないので、扉全体で交換し又は廃棄していた。従って、経済性に問題があった。
また、レール体７が単に扉６に接着などにより固定されていたので、とくに上下の扉のレール体の繋ぎ目においては、下側の扉のレール体の玉案内溝から上側の扉のレール体の玉案内溝に移動する際にレール体にパチンコ玉Ｐから加わることがある力によりレール体７が扉６から浮き上がることがあり、従って、パチンコ玉の円滑な上昇が妨げられ、搬送ベルト５と研磨布８の間にジャムする恐れがあった。
【０００５】
本発明は、上記の点に鑑みてなされたものであり、その課題は、レール体に一部破損や摩耗を生じた場合に、低コストで簡単にメンテナンスができるようにした玉磨き揚送装置を提供することにある。
【０００６】
【課題を解決する手段】
上記課題を解決するため、本発明は、モータにより所定方向に回転される搬送ベルトを支持するフレームと、そのフレームに対して開閉自在に取付けられる扉とを有し、その扉は、閉められた状態で前記搬送ベルトの上昇面に近接されて、その搬送ベルトとの間でパチンコ玉を回転させながら磨く研磨布を保持するとともに、前記研磨布にパチンコ玉案内溝を形成する複数条の溝を備えたレール体を有するものである玉磨き揚送装置において、前記レール体を取付板に貼付け、その取付板を分離可能な固着手段により前記扉に組付けたことを特徴としている。
上記構成により、レール体が破損等した場合は、扉から研磨布を取外し、取付板を扉に組付けしている固着手段を操作して、取付板を扉から取外して、取付板とレール体のみを交換することができる。
【０００７】
【発明の実施の形態】
次に、本発明の実紙の形態について図面を参照して説明する。
図１は、本発明に係る玉磨き揚送装置の搬送ベルトと扉の部分の横断面図、図２は図１のＡ−Ａ線断面図である。図４の従来装置の構成部材と同一の部材に対しては同一の符号を用いる。
図１において、本発明に係る玉磨き揚送装置においては、レール体７は、薄平板状の取付板１５にレール体７を接着剤により又は溶着などにより貼付けてある。取付板１５は、扉６の高さと等しい高さを有し、レール体７の幅方向両端部から外側に延出され、その延出部分に上下方向に任意の間隔をもった位置に孔が設けてある。
扉６の正面壁６ａにも、取付板の孔と合致する位置に孔が設けてある。そして、取付板１５を扉６の正面壁６ａの内面に当接し、整合された孔にねじ１６をねじ込んで、又はボルトナット等の分離可能な固着手段により固着することにより、レール体７が扉６に固定されている。
【０００８】
好ましい実施の形態においては、図２に示すように、レール体の下端部にＬ型の係合溝１７を形成するとともに、取付板１５の下端部にＬ型の係止金具１８を固着しておき、レール体７を扉６に固着する際に係止金具１８を係合溝１７に係合することにより、レール体７の下端部にパチンコ玉Ｐが押圧力を加えることがあっても、レール体７がそれによって浮き上がることが有効に防止されている。
【０００９】
上記のような構成とすることにより、搬送ベルト５とパチンコ玉Ｐの共同作用によりレール体７に加えられる力によりレール体７に損傷又は摩耗などが生じた場合は、固着手段（１６）を操作して、容易にレール体７を扉６から分離することができる。従って、レール体７のみの交換を行うことができ、扉は継続して使用可能である。
【００１０】
【発明の効果】
上述のように、本発明によれば、研磨布を担持するレール体を取付板に貼付け、その取付板を扉に固着手段により分離可能に組付けたので、レール体のみの交換が可能であり、経済性が向上する。
【図面の簡単な説明】
【図１】本発明に係る玉磨き揚送装置の搬送ベルトと扉の部分の横断面図。
【図２】図１のＡ−Ａ線断面図。
【図３】一般的な玉磨き揚送装置の概略的な縦断面図。
【図４】同玉磨き揚送装置の搬送ベルトと扉の部分の横断面図。
【図５】図４のＣ−Ｃ線断面図。
【符号の説明】
５　　　搬送ベルト
６　　　扉
７　　　レール体
８　　　研磨婦
１０　　玉案内溝
１５　　取付板
１６　　固着手段
【図１】
2004073304.tif 000003
【図２】
2004073304.tif 000004
【図３】
2004073304.tif 000005
【図４】
2004073304.tif 000006
【図５】
2004073304.tif 000007
(57)【要約】【課題】従来のプラスチック製メガネケースは、メガネの大きさよりもはるかに大きい。よって服のポケットに入れると服のシルエットが崩れる。又バッグに入れても場所を取るので邪魔になるなど持ち運びが不便である。布製があるが、これらは衝撃に弱いし、使い方によっては横から滑り落ちるおそれがある。【解決手段】ファッションメガネケース本体の裏側（２）に滑り止め効果の有る素材を使用して落下防止をし、ファッションメガネケース本体の中央部分に表側（１）と裏側（２）との間に衝撃吸収材（３）を挟んで衝撃に耐えるようにし、携帯用ストラプを吊り下げることができる穴（４）を開けることにより、持ち運びが便利になる。【選択図】　　　　　　　　図１
2004073338.tif 000002
【特許請求の範囲】
【請求項１】
ファッションメガネケース本体の裏側（２）に滑り止め効果の有る素材を使用したファッションメガネケース。
【請求項２】
ファッションメガネケース本体の中央部分に表側（１）と裏側（２）との間に衝撃吸収材（３）を挟んだ請求項１記載のファッションメガネケース。
【請求項３】
ファッションメガネケース本体に携帯用ストラプを吊り下げることができる穴（４）を開けた請求項１、２記載のファッションメガネケース。
【発明の詳細な説明】
【０００１】
【発明の属する技術分野】
本発明は、メガネケースに関する物である。また特願２００１−１９３２２を改良し、より安全で実用的にした物である。
【０００２】
【従来の技術】
従来のプラスチック製メガネケースは、衝撃に強い。また実開平５−５５９１７とか特願２００１−１９３２２などの布製はソフィトでコンパクトで持ち運びに便利であるある。
【０００３】
【発明が解決しようとする課題】
従来のプラスチック製メガネケースは、メガネの大きさよりもはるかに大きい。よって服のポケットに入れると服のシルエットが崩れる。又バッグに入れても場所を取るので邪魔になるなど持ち運びが不便である。
【０００４】
実開平５−５５９１７とか特願２００１−１９３２２などは衝撃時にレンズ破損の恐れがあり、使い方によっては横から滑り落ちるおそれがある。
【０００５】
【課題を解決するための手段】
上記目的を達成するために、本発明のファッションメガネケースにおいては、ファッションメガネケース本体の裏側（２）に滑り止め効果の有る素材を使用し、またファッションメガネケース本体の中央部分に表側（１）と裏側（２）との間に衝撃吸収材（３）を挟むことにより課題を解決する。
【０００６】
【発明の実施の形態】
発明の実施の形態を実施例にもとずき図面を参照して説明する。
図１において、本発明のファッションメガネケースの形状は，１枚物で止め具により輪となれば形状は問わない。表側（１）の素材は、布（合成繊維、植物性繊維、動物性繊維等）、合成樹脂、合皮、革等の柔軟性のある物であれば素材は問わない。裏側（２）の素材は布（合成繊維、植物性繊維、動物性繊維等）、合成樹脂、合皮、革、ゴム、紙類等の滑り止め効果の有る物であれば素材は問わない。衝撃吸収材（３）の素材は金属、合成樹脂、紙、布等衝撃吸収材に適した物で有れば素材は問わない。表側（１）中央部分の裏面に、衝撃吸収材（３）をメガネレンズの大きさと同程度の大きさにカットした物を貼り付けて、その上から裏側（２）を貼り付ける。そうして出来上がった物のぐるりをオーバーミシン、メロウミシン、刺繍ミシン等でかがる。又は裁ち切りのままでも良いし、スカラップ模様等にカットしてもよい。そして裏側（２）の上辺部分と表側（１）の下辺部分にそれぞれに止め具（７，８）をメガネ本体の大きさに合わせて取り付けて、上辺（５）と下辺（６）とが重なるようにして全体を輪にする。止め具（７，８）はマジックテープ（登録商標）、又は磁気板を縫い付けたり貼り付けたり、又は穴とボタン、ドットボタン、アメリカンホック、スナップボタン、鍵ホック、ループとボタン等を使用し、メガネ本体の大きさにより付け位置を変える。またストラプを吊り下げることができる穴（４）を１カ所もしくは数カ所開ける。位置はファッションメガネケース本体のエッジ部分であればどこでもよい。表側（１）に刺繍やプリントを施す事により大変ファッショナブルにできる。
【０００７】
【発明の効果】
本発明は、以上説明したように構成されているので、以下に記載されるような効果を奏する。
【０００８】
本発明のファッションメガネケースはメガネ本体の大きさに近いサイズでメガネを収納でき、衝撃にも耐えられるし、収納時にメガネ本体がファッションメガネケースより落下することもない。又携帯用ストラップも着装できるので持ち運び時に便利で、ポッケトやバグからの取り出しが簡単にでき、屋内や車内において吊して置くことができ、とても便利でファッショナブルである。
【図面の簡単な説明】
【図１】ファッションメガネケース本体の開いた時の斜視図
【図２】ファッションメガネケース本体の斜視図（表より見た時）
【図３】ファッションメガネケース本体の斜視図（裏より見た時）
【図４】ファッションメガネケース本体の表側
【図５】ファッションメガネケース本体の裏側
【図６】ファッションメガネケース本体の断面図
【図７】衝撃吸収材の斜視図
【符号の説明】
１　ファッションメガネケース本体の表側
２　ファッションメガネケース本体の裏側
３　衝撃吸収材
４　穴
５　上辺
６　下辺
７　止め具
８　止め具
【図１】
2004073338.tif 000003
【図２】
2004073338.tif 000004
【図３】
2004073338.tif 000005
【図４】
2004073338.tif 000006
【図５】
2004073338.tif 000007
【図６】
2004073338.tif 000008
【図７】
2004073338.tif 000009
(57)【要約】【課題】一般的に良く用いられるトイレットペーパーを容器に収容してティッシュペーパーとして使用できるようにするロールティッシュペーパーを提供することを目的とする。【解決手段】トイレットペーパーとして使用されるロール紙の芯材２を外して押しつぶしたロール紙１を収容ケース３に収容し、その中心（巻き始め端）からペーパーを引き出すようにしたものである。そして前記収容ケース３に開閉蓋４を設け、該開閉蓋４に形成する長穴５からロール紙を引き出すようにした。また前記収容ケース３がロール紙を扁平に押しつぶして入るほどの大きさとしたことなどを特徴とする。【選択図】　図１
2004073399.tif 000002
【特許請求の範囲】
【請求項１】
芯材（２）を外して押しつぶしたロール紙（１）を収容ケース（３）に収容し、その中心からペーパーを引き出すようにしたことを特徴とするロールティッシュペーパ―。
【請求項２】
前記収容ケー（３）に開閉蓋（４）を設け、該開閉蓋（４）に形成する長穴（５）からロール紙を引き出すようにしたことを特徴とする請求項１記載のロールティッシュペーパー。
【請求項３】
前記収容ケース（３）がロール紙を扁平に押しつぶして入るほどの大きさとしたことを特徴とする請求項１記載のロールティッシュペーパー。
【発明の詳細な説明】
【０００１】
【発明の属する技術分野】
本発明は、ロール巻紙式のトイレットペーパーをティッシュペーパーとして使用するための方法およびその容器に関するものである。
【０００２】
【従来の技術】
かかる方式のものは例えば特開平１０―２３６５４９号公報に開示されている。このものはトイレットペーパーとして使用されるロール紙をそのまま横置きに方形の箱に収容して側面に形成した取出し口からロール紙の先端部分を引き出して使用するものである。
【０００３】
またロール紙を縦置きにして使用するものが登録実用新案３００６２２５号公報に開示されている。このものは方形の箱にトイレットペーパーとして使用されるロール紙を縦置きに収容するものであって上蓋に設けた取出し口からロール紙の芯部分、すなわち巻き始め端を引き出して使用するものである。
【０００４】
然しながらいずれのものもロール紙をそのまま縦向きまたは横向きにして方形の箱に収容するものであるからトイレットペーパー用のロール紙を使用しているというイメージを払拭することが出来ないという問題があった。そのため食卓用のティッシュペーパー、清掃用の拭き取り紙として使用するには抵抗感があった。また容器が真四角な立方形であるため嵩張り、デザイン的にも優れたものではなかった。
【０００５】
【発明が解決しようとする課題】
一般的に良く用いられるトイレットペーパーを容器に収容してティッシュペーパーとして使用できるようにするロールティッシュペーパーを提供することを目的とする。
【０００６】
【課題を解決するための手段】
本発明のロールティッシュペーパ―は、芯材２を外して押しつぶしたロール紙１を収容ケース３に収容し、その中心（巻き始め端）からペーパーを引き出すようにしたものである。そして前記収容ケース３に開閉蓋４を設け、該開閉蓋４に形成する長穴５からロール紙を引き出すようにした。また前記収容ケース３がロール紙を扁平に押しつぶして入るほどの大きさとしたことなどを特徴とする。
【０００７】
【発明の実施の形態】
以下、図面に示す実施例に基づいて説明する。図１はロール紙をケースに収容した状態の斜視図、図２はロール紙を扁平にする状態を示す説明図、図３はケースの上蓋を開いた状態の斜視図で、図４はロール紙を扁平に圧縮した寸法を示す斜視図である。
【０００８】
本発明のロールティッシュペーパーは、トイレットペーパーとして一般的に使用されるロール紙１を図２に示すようにその芯材部分２を外して偏平に押しつぶして収容ケース３に収容するようにしたものであって、該ケース３は図１に示すような横長な直方体であって開閉自在な開閉蓋４が付いており、この開閉蓋４を開いて芯材２を外し偏平に押しつぶしたロール紙１を縦向きに収容する。そして開閉蓋４の中央に形成する長穴５からロール紙の巻き始め端６（中央部分）を引き出して使用するようにしたものである。
【０００９】
図４に示すように通常のトイレットペーパー用のロール紙１は、直径１１０ｍｍ〜１２０ｍｍ、幅１１５ｍｍほどである。これを偏平に押しつぶすと横幅１３０ｍｍ±２０ｍｍ、高さ１１５ｍｍ、厚み７０ｍｍ±２０ｍｍほどとなる。従ってこのロール紙１を収容する収容ケース３の大きさは、この押しつぶしたロール紙が収まるほどのサイズとすると良い。そしてその材質は容易に変型しないように、硬質なプラスチックまたは硬質紙、木製板材、陶磁器などを使用し、必要なら取っ手も付けると良い。
【００１０】
そして使用する際は、前記長穴４からロール紙１を必要な長さ分だけを引出し、ミシン目または長穴５の角部にあてる事によってロール紙１を容易に切ることが出来る。
【００１１】
【発明の効果】
ティッシュペーパーを特に買わなくても家庭にあるロール紙タイプのトイレットペーパーをティッシュペーパーとして使用することが出来る。またトイレットペーパーを使用するので薄く、水に溶けやすく、使用後も嵩張らない。そしてロール紙なので無駄が無くコスト的にも安価である。
【００１２】
ロール紙タイプのトイレットペーパーを偏平に押しつぶして横長な直方体ケースに収容するようにしたからデザイン的にトイレットペーパーを使っているというイメージが無く抵抗感がないなどの効果がある。
【図面の簡単な説明】
【図１】ロール紙を収容した状態の斜視図。
【図２】ロール紙を扁平にする過程を示す説明図。
【図３】ケースの開閉蓋を開いた状態の斜視図。
【図４】ロール紙を扁平に圧縮した寸法の斜視図
【符号の説明】
１　　ロール紙
２　　ロール紙の芯材
３　　収納ケース
４　　開閉蓋
５　　長穴
６　　ロール紙の巻き始め端
【図１】
2004073399.tif 000003
【図２】
2004073399.tif 000004
【図３】
2004073399.tif 000005
【図４】
2004073399.tif 000006